(57)【要約】【課題】管体とコネクタとの接続を外した際に液だれが生じにくいコネクタを実現できるようにする。【解決手段】コネクタ１０１は、一方の端部に管体が挿入される開口部１１３を有するコネクタ本体１１０と、コネクタ本体１１０内に設けられ、流体が流れる流体通路となる内筒部１２０とを備えている。コネクタ本体１１０の内壁１１４は、開口部１１３から挿入される管体の外壁と嵌合可能であり、コネクタ本体１１０の他方の端部は、輸液チューブ１３０と接続可能である。内筒部１２０は、管体の開口部１１３への挿入によって、軸方向に可逆的に圧縮される。【選択図】図１
2017158704.tif 000002
【特許請求の範囲】
【請求項１】
一方の端部に管体が挿入される開口部を有するコネクタ本体と、
前記コネクタ本体内に設けられ、流体が流れる流体通路となる内筒部とを備え、
前記コネクタ本体の内壁は、前記開口部から挿入される前記管体の外壁と嵌合可能であり、
前記コネクタ本体の他方の端部は、輸液チューブと接続可能であり、
前記内筒部は、前記管体の前記開口部への挿入によって、軸方向に可逆的に圧縮される、コネクタ。
【請求項２】
前記内筒部の先端は、前記管体の端部と係合する、請求項１に記載のコネクタ。
【請求項３】
前記内筒部の先端は、前記管体の内腔に挿入される、請求項２に記載のコネクタ。
【請求項４】
前記内筒部は、前記管体の端部を内部に挿入可能である、請求項２に記載のコネクタ。
【請求項５】
前記内筒部は、基端部と、先端部と、前記基端部と前記先端部との間に設けられ前記コネクタの軸方向に弾性変形可能な変形部とを有する、請求項１〜４のいずれか１項に記載のコネクタ。
【請求項６】
前記先端部は、前記変形部よりも変形しにくい、請求項５に記載のコネクタ。
【請求項７】
前記変形部は、伸縮可能な蛇腹部材である、請求項５に記載のコネクタ。
【請求項８】
前記コネクタ本体は、前記開口部から挿入される前記管体の外壁と嵌合可能な第１の部分と、前記変形部が収容される第２の部分とを有し、前記第２の部分の内径は前記第１の部分の内径よりも大きい、請求項５又は６に記載のコネクタ。
【請求項９】
前記コネクタ本体は、前記第２の部分よりも基端側に設けられた第３の部分を有し、
前記第３の部分は、前記第２の部分よりも内径が大きく、前記第２の部分と境界に段差部を有し、
前記基端部は、前記変形部よりも外径が大きく、
前記基端部の先端側の端面は、前記段差部と当接している、請求項８に記載のコネクタ。
【請求項１０】
前記先端部の軸方向の長さは、前記第１の部分の軸方向の長さよりも長い、請求項８又は９に記載のコネクタ。
【請求項１１】
前記内筒部の先端は、前記開口部から突出している、請求項１〜１０のいずれか１項に記載のコネクタ。
【請求項１２】
一方の端部に管体が挿入される開口部を有するコネクタ本体と、
前記コネクタ本体内に設けられ、流体が流れる流体通路となる内筒部とを備え、
前記コネクタ本体の内壁は、前記開口部から挿入される前記管体の外壁と嵌合可能であり、
前記コネクタ本体の他方の端部は、輸液チューブと接続可能であり、
前記内筒部の先端は、前記管体が前記コネクタ本体から抜去されている場合よりも、前記管体が前記コネクタ本体に挿入されている場合の方が基端側に位置する、コネクタ。
【発明の詳細な説明】
【技術分野】
【０００１】
本開示は医療用コネクタに関し、特に輸液用回路等に用いることができる医療用コネクタに関する。
【背景技術】
【０００２】
医療機器においては、機器とチューブ、チューブとシリンジ、及びチューブ同士など種々の接続部が存在する。これらの接続部には、コネクタが用いられている。経口によらずに患者に栄養及び薬剤を投与する経腸栄養法においても、患者に挿入されたカテーテル等と、経腸栄養剤等の液状物の供給容器とはコネクタを介して接続されている（例えば、特許文献１を参照。）。
【０００３】
近年、医療機器増加により、医療機器の誤接続が大きな問題となっている。このため、医療機器の誤接続を防止するために、新しいコネクタの規格が定められつつある。具体的には、医療機器を６つのカテゴリーに分け、異なるカテゴリーの医療機器を互いに接続できないコネクタとすることが求められている。例えば、栄養に関する分野においては、供給側下流端にコネクタを設け、患者側上流端をコネクタに挿入される管体とする規格となっている。
【先行技術文献】
【特許文献】
【０００４】
【特許文献１】特開２０１３−２１２１３５号公報
【発明の概要】
【発明が解決しようとする課題】
【０００５】
しかし、管体が挿入されるコネクタは、管体よりも径が大きく、開口側に向かって拡がるようになっているため、管体と比べて液だれが生じやすい。特に、供給側下流端のコネクタは取り外された後、下向きに保持されることが多く、コネクタからの液だれは大きな問題となる。経腸栄養の回路は、長期に使用されることが多く、高栄養の輸液が液だれすると、雑菌が繁殖し感染症の原因となるおそれがある。
【０００６】
そこで、新しい規格を満たすと共に、これらの問題の発生を抑えることができるコネクタの開発が求められている。
【０００７】
本開示の課題は、管体とコネクタとの接続を外した際に液だれが生じにくいコネクタを実現できるようにすることである。
【課題を解決するための手段】
【０００８】
本開示のコネクタの第１の態様は、一方の端部に管体が挿入される開口部を有するコネクタ本体と、コネクタ本体内に設けられ、流体が流れる流体通路となる内筒部とを備え、コネクタ本体の内壁は、開口部から挿入される管体の外壁と嵌合可能であり、コネクタ本体の他方の端部は、輸液チューブと接続可能であり、内筒部は、管体の開口部への挿入によって、軸方向に可逆的に圧縮される。
【０００９】
第１の態様のコネクタは、管体が引き抜かれた際に、可逆的に圧縮されていた内筒部が再び伸張する。このため、管体とコネクタとの接続を外した際に、コネクタからの液だれを抑えることができる。
【００１０】
コネクタの第１の態様において、内筒部の先端は、管体の端部と係合することができる。この場合に、内筒部の先端は、管体の内腔に挿入されるようにしたり、管体の端部を内部に挿入可能にしたりすることができる。このような構成とすることにより、管体とコネクタの接続時において、内筒部の先端が管体の端部と係合していない場合よりも内筒部の先端部と管体の端部から液体が漏れ出しにくくすることができる。
【００１１】
コネクタの第１の態様において、内筒部は、基端部と、先端部と、基端部と先端部との間に設けられ、コネクタの軸方向に弾性変形可能な変形部とを有する構成とすることができる。この場合において、変形部材は、伸縮可能な蛇腹状部材とすることができる。このような構成とすることにより、内筒部を容易に伸縮させ、コネクタからの液だれを抑えることができる。
【００１２】
コネクタの第１の態様において、コネクタ本体は、開口部から挿入される管体の外壁と嵌合可能な第１の部分と、内筒部の変形部が収容される第２の部分とを有し、第２の部分の内径は第１の部分の内径より大きくてもよい。このような構成とすることにより、変形部をスムーズに変形させることができる。
【００１３】
この場合において、コネクタ本体は、第２部の分よりも基端側に設けられた第３の部分を有し、第３の部分は、第２部分よりも内径が大きく、第２の部分との境界に段差部を有し、内筒部は、変形部よりも基端側に設けられ、変形部よりも外径が大きい基端部を有し、基端部の先端側の端面は、段差部と当接しているようにすることができる。このような構成とすることにより、内筒部の先端方向への移動が容易に規制できる。
【００１４】
さらに、先端部の軸方向の長さが、第１の部分の軸方向の長さよりも長い構成とすることができる。このような構成とすることにより、先端部を管体を挿入する際のガイドとして機能させることができる。
【００１５】
コネクタの第１の態様において、内筒部の先端は開口部から突出している構成とすることができる。このような構成とすることにより、内筒部の先端を管体を挿入する際のガイドとして機能させることができる。
【００１６】
本開示のコネクタの第２の態様は、一方の端部に管体が挿入される開口部を有するコネクタ本体と、コネクタ本体内に設けられ、流体が流れる流体通路となる内筒部とを備え、コネクタ本体の内壁は、開口部から挿入される管体の外壁と嵌合可能であり、コネクタ本体の他方の端部は、輸液チューブと接続可能であり、内筒部の先端は管体がコネクタ本体から抜去されている場合よりも、管体がコネクタ本体に挿入されている場合の方が基端側に位置する。
【発明の効果】
【００１７】
本開示の、コネクタによれば、管体とコネクタとの接続を外した際に液だれを生じにくくすることができる。
【図面の簡単な説明】
【００１８】
【図１】一実施形態に係るコネクタを示す断面図である。
【図２】管体が挿入された状態を示す断面図である。
【図３】チューブをクランプした場合において内筒部が伸張状態に戻った状態を示す断面図である。
【図４】一実施形態に係る内筒部を示す断面図である。
【図５】一実施形態に係る内筒部を先端側の端面から見た平面図である。
【図６】一実施形態に係る内筒部を示す斜視図である。
【図７】先端部の変形例を示す断面図である。
【図８】先端部の変形例を示す断面図である。
【図９】変形例に係るコネクタを示す断面図である。
【図１０】管体が挿入された状態を示す断面図である。
【図１１】チューブをクランプした場合において内筒部が伸張状態に戻った状態を示す断面図である。
【図１２】変形例に係る内筒部を示す斜視図である。
【図１３】変形例に係る内筒部を先端側の端面から見た平面図である。
【図１４】変形例に係る内筒部を示す斜視図である。
【図１５】先端部の変形例を示す断面図である。
【図１６】先端部の変形例を示す断面図である。
【図１７】変形例に係るコネクタを示す断面図である。
【図１８】管体が挿入された状態を示す断面図である。
【図１９】チューブをクランプした場合において内筒部が伸張状態に戻った状態を示す断面図である。
【発明を実施するための形態】
【００１９】
本開示は経腸栄養コネクタに関して、特に国際標準規格（ＩＳＯ８０３６９−３）を満たす経腸栄養コネクタとして好ましい態様を記載している。図１に示すように、本実施形態のコネクタ１０１は医療用のコネクタであり、コネクタ本体１１０と、コネクタ本体１１０内に設けられた内筒部１２０とを備えている。コネクタ本体１１０は、一方の端部に設けられ管体が挿入される開口部１１３を有しており、反対側の端部にはチューブ１３０が接続されている。開口部１１３付近においてコネクタ本体１１０の内壁１１４は、開口部１１３から挿入される管体の外壁と当接し、液密に嵌合する面となっている。内筒部１２０は、輸液等の流体が流れる流体通路となり、管体の開口部１１３への挿入によって、軸方向に可逆的に圧縮される。
【００２０】
図２は、管体２０１がコネクタ１０１に挿入された状態を示している。管体２０１は、コネクタ本体１１０の開口部１１３に挿入される挿入筒部２１０と、挿入筒部２１０の周りに設けられ、コネクタ本体１１０の外面に設けられたねじ山１１６と係合するロックナットである外筒部２２０とを有している。図２において、管体２０１の外筒部２２０がねじ山１１６と係合している構成を示している。
【００２１】
挿入筒部２１０の外壁２１２は、開口部１１３付近においてコネクタ本体１１０の内壁１１４と嵌合するテーパ面となっており、挿入筒部２１０の外壁２１２と開口部１１３付近におけるコネクタ本体１１０の内壁１１４とは液密に嵌合している。挿入筒部２１０の内腔と内筒部１２０の内腔とが連通し、内部を液が通過する。
【００２２】
図２に示すように、管体２０１がコネクタ１０１の開口部１１３に挿入されると、内筒部１２０の端部が管体２０１の挿入筒部２１０の端部と当接し、内筒部１２０は可逆的に圧縮され、コネクタ本体１１０内で縮んだ圧縮状態となる。これにより、内筒部１２０の先端は、管体２０１をコネクタ本体１１０から抜去している場合よりも管体２０１をコネクタ本体１１０に挿入している場合の方が基端側に位置する。
【００２３】
図２には、液を流した後、上流側のチューブ１３０を閉塞した状態におけるコネクタ１０１内における液面１５０を説明のために示している。チューブを閉塞することで、上流から液体が流れ込まなくなり、コネクタ１０１内における液面１５０は下流側に移動しにくくなる。チューブ１３０の閉塞は手や鉗子で押さえることで実現してもよいが、クランプを設けることが好ましい。この状態で、管体２０１をコネクタ１０１から取り外すと、図３に示すように内筒部１２０が再び伸張する。コネクタが下向きに保持された場合においても、伸張した内筒部１２０内に液面１５０が存在するため、液面が内筒部に対して相対的に引っ込むため、液だれの発生を抑えることができる。
【００２４】
図４〜図６は、内筒部１２０を拡大して示している。図４〜図６に示すように、内筒部１２０は、基端側から順に基端部１２１、変形部１２２及び先端部１２３を有している。基端部１２１は、他の部分と比べて肉厚となっており、外周面がコネクタ本体１１０の基端部の内周面と嵌合するように設けられている。変形部１２２は、開口部１１３から管体２０１が挿入された際に伸縮し、管体２０１が引き抜かれた際に伸張するように設けられている。本実施形態において、変形部１２２は、蛇腹状部材により形成されている。先端部１２３は、開口部１１３から挿入される管体２０１の挿入筒部２１０の端部と係合可能に設けられている。使用時に内筒部の先端と管体の端部から液漏れする現象は、コネクタ本体の内周面と内筒部の外周面との間の空気と、流路を流れる液体とが置換されることにより生じると考えられる。しかし、上記のような構成とすることで、空気と液体との置換がより生じにくくなり、接続時にコネクタ本体の内周面に液体が漏れ出すよりも、液体が上流から下流に流れていきやすくなるため、接続時の液漏れが起こりにくくなる。なお、蛇腹部材は軸方向で切った断面において、波状態となっており、圧縮状態から伸張状態に戻る付勢力を有する構成とされていればよく、蛇腹部分が螺旋状に設けられている態様にすることもできる。
【００２５】
本実施形態のコネクタは、コネクタ本体１１０の基端側の内径が内筒部１２０の基端部１２１の外径とほぼ等しくなっており、コネクタ本体１１０の中に内筒部１２０を挿入して組み立てることができる。なお、コネクタ本体１１０の基端側の内周面と内筒部１２０の基端部１２１の外周面により嵌合しているようにすることができる。また、コネクタ本体１１０の基端側の内周面には、内筒部１２０の基端部１２１を外れにくくするための突起１１５が設けられている。突起１１５は、内筒部１２０がコネクタ本体１１０の開口部１１３方向へ動くことを規制するように設けられており、環状とすることも複数の突起とすることもできる。内筒部１２０の基端側の端部は、面取りされたＲを有する形状とすることができる。このような構成にすることで、組み立て時に内筒部１２０をコネクタ本体１１０へ挿入しやすくすることができる。
【００２６】
このような構成に限らず、内筒部１２０は、コネクタ本体１１０内の所定の位置に固定されていればよい。例えば、コネクタ本体１１０内に窪みを設け、内筒部１２０の基端部１２１を窪みにはめ込んで固定するようにできる。また、接着剤等を用いて内筒部１２０をコネクタ本体１１０内に固定することもできる。
【００２７】
管体２０１をコネクタ１０１から抜き取ると、可逆的に圧縮されていた内筒部１２０の変形部１２２は、元の伸張状態に復帰するような付勢力を有するように弾性変形可能な変形部として構成されていることが好ましい。
【００２８】
管体２０１が挿入され変形部１２２が圧縮状態にある場合おいて、変形部１２２及び先端部１２３は、コネクタ本体１１０の内周面と接触しないようにすることが好ましい。このような構成にすれば、管体２０１を抜き取った際に、変形部１２２が圧縮状態から伸張状態に移行しやすくできる。
【００２９】
管体２０１をコネクタ１０１から抜き取ると、コネクタ１０１の上流側において供給側のチューブ１３０がクランプされていても、コネクタ１０１側の液面は、内圧や重力の影響により下流側に膨らむ。下流側への液面の膨張が限界を超えると液だれが生じる。一般にコネクタの内腔は管体の内腔よりも径が大きく、且つ外向きに拡がっているため、管体よりも液だれが生じやすい。
【００３０】
一方、本実施形態のコネクタ１０１においては、管体２０１が取り外された際に、可逆的に圧縮されていた内筒部１２０が再び伸張する。このため、図３に示すようにコネクタ１０１側の液面を内筒部１２０の内部にとどまらせることができ、液だれの発生を抑えることができる。
【００３１】
図１には、伸張状態の内筒部１２０の先端が、開口部１１３から突出している例を示している。伸張状態において内筒部１２０の先端が開口部１１３から突出するようにすれば、開口部１１３への管体の挿入をガイドするガイド手段として機能させることができる。しかし、標準的なサイズのコネクタの場合、伸張状態と圧縮状態とで内筒部１２０の長さが０．５ｍｍ程度変化すれば、液だれを抑える効果が得られる。従って、伸張状態において内筒部１２０の先端が開口部１１３から突出していなくてもよい。
【００３２】
本実施形態において、内筒部の先端部１２３が軸方向と交差する方向に突出するフランジ部１２４を有していている構成を示した。このような構成にすることで、内筒部１２０の軸出しが可能となる。なお、フランジ部１２４はコネクタ本体１１０の内周面と接していてもよいが、接していない方がより好ましい。このような態様にすることで、内筒部１２０が圧縮状態から伸張状態に戻りやすくすることができる。但し、フランジ部１２４は設けなくてもよい。また、変形部１２２が基端部１２１から伸びている構成を示したが、基端部１２１と変形部１２２との間に非圧縮部が設けられている構成とすることもできる。
【００３３】
図２において、内筒部１２０の先端部１２３が、挿入筒部２１０の内腔に挿入される例を示した。このようにすることにより、管体２０１の先端がガイドされ挿入が容易となるという利点が得られる。また、内筒部１２０と挿入筒部２１０とが液密に接続されるようにすれば、コネクタ内をスムーズに輸液が通過できるという利点が得られる。但し、挿入筒部２１０の外壁２１２と開口部１１３の内壁１１４とが液密に嵌合するため、内筒部１２０と挿入筒部２１０とは液密に接続されていなくてもよい。内筒部１２０の先端部が挿入筒部２１０の内腔に挿入されている例を示したが、内筒部１２０の先端部と挿入筒部２１０先端部とが互いに当接して係合していれば、内筒部１２０の先端部が挿入筒部２１０の内腔に挿入されていなくてもよい。
【００３４】
例えば、図７に示すように、挿入筒部２１０の先端部が、内筒部１２０の内腔に挿入されている構成とすることができる。また、図８に示すように、内筒部１２０の先端部と、挿入筒部２１０の端部とが嵌め合いとなる構成とすることもできる。
【００３５】
また、内筒部の先端部は、変形部よりも変形しにくいように構成することができる。このような構成とすることにより、変形部よりも硬い部材であるため、管体が押し込まれても変形しにくく、内筒部の先端部と管体の端部とを接続しやすくすることができる。
【００３６】
図９〜図１４には、コネクタの変形例を示す。本変形例のコネクタ１０１Ａは、筒状の先端部１２３Ａを有する内筒部１２０Ａを備えている。先端部１２３Ａの外径φ３は、変形部１２２Ａの外径φ２よりも小さく、変形部１２２Ａの外径φ２は、基端部１２１Ａの外径φ１よりも小さい例を示しているが、このような態様に限定されるものではない。なお、変形部１２２Ａの外径φ２は、蛇腹状部材からなる変形部１２２Ａの最大径である。この変形例において、コネクタ本体１１０Ａは、先端側から、内筒部１２０Ａの先端部１２３Ａを収容する第１の部分１１７Ａと、変形部１２２Ａを収容する第２の部分１１７Ｂと、基端部１２１Ａを収容すると共に、チューブ１３０が接続される第３の部分１１７Ｃと、を有している。
【００３７】
コネクタ本体１１０Ａの第３の部分１１７Ｃは、内筒部１２０Ａの基端部１２１Ａ及びチューブ１３０とほぼ等しい内径を有している。第２の部分１１７Ｂは、基端部１２１Ａの外径よりも小さく、変形部１２２Ａの外径よりも大きい内径を有している。第１の部分１１７Ａは、変形部１２２Ａの外径よりも小さく、先端部１２３Ａの外径とほぼ等しいかそれよりも大きい内径を有している。また、第１の部分１１７Ａは、管体２０１の挿入筒部２１０の外壁と嵌合するテーパ面となっている。
【００３８】
本変形例のコネクタ１０１Ａは、第２の部分１１７Ｂの内径が変形部１２２Ａの外径よりも大きい。このため、第２の部分１１７Ｂに収容された変形部１２２Ａの圧縮及び伸縮が容易となる。一方、変形部１２２Ａの外径よりも第２の部分１１７Ｂの内径を大きくしても、第１の部分１１７Ａは、管体２０１の挿入筒部２１０と嵌合するサイズにすることが容易にできる。
【００３９】
内筒部１２０Ａの筒状の先端部１２３Ａの長さは、第１の部分１１７Ａの軸方向の長さよりも長くすることが好ましい。これにより、内筒部１２０の先端が開口部１１３から突出し、内筒部１２０Ａをガイドとして機能させることができる。図９において、テーパ状となった第１の部分１１７Ａの内径の最小値が先端部１２３Ａの外径とほぼ等しく、第１の部分１１７Ａの内面と先端部１２３Ａの外面の一部とが接触している。このように、第１の部分１１７Ａの内面と先端部１２３Ａの外面とが一部で接触して摺動すれば、内筒部１２０Ａの軸出しが容易となる。但し、第１の部分１１７Ａの内面と先端部１２３Ａの外面とが接触しないようにすることもできる。
【００４０】
第３の部分１１７Ｃの内径は、内筒部１２０Ａの基端部１２１Ａの外径と同じか僅かに小さく、基端部１２１Ａの外周面と、第３の部分１１７Ｃの外周面とが嵌合している。また、第３の部分１１７Ｃが第２の部分１１７Ｂよりも大きいため、第３の部分１１７Ｃと第２の部分１１７Ｂとの境界には段差ができる。この段差は、内筒部１２０Ａの基端部１２１Ａが先端側に移動することを規制するフランジとして機能する。さらに、第３の部分１１７Ｃの基端側の開口からチューブ１３０が挿入され、第１の部分１１７Ｃと溶着又は接着されている。このため、基端部１２１Ａの基端側への移動は、チューブ１３０の端面により規制されている。従って、本変形例においては、内筒部１２０Ａをコネクタ本体１１０Ａに容易に且つ強固に固定することが可能となり、またフランジを設けなくてもよいため、コネクタ本体をコンパクトにすることができる。なお、内筒部１２０Ａの基端部１２１Ａの基端側の固定は、チューブ１３０の端面での固定に限られたものではなく、第３の部分１１７Ｃにおいて、内筒部１２０Ａの基端部１２１Ａよりも基端側にフランジを設けてもよい。
【００４１】
なお、本変形例においても、図１５に示すように、挿入筒部２１０の先端部が、内筒部１２０Ａの内腔に挿入されている構成とすることができる。また、図１６に示すように、内筒部１２０Ａの先端部と、挿入筒部２１０の端部とが嵌め合いとなる構成とすることもできる。
【００４２】
本実施形態及び変形例のコネクタ本体の材質は特に限定されないが、ＩＳＯ規格を満たす半硬質又は硬質の材料により形成することが好ましい。具体的には、ポリエチレン、ポリプロピレン、ポリ塩化ビニル、ポリカーボネート樹脂又はアクリル−ブタジエン−スチレン（ＡＢＳ）樹脂等を用いることができる。
【００４３】
内筒部は、伸縮自在となるように弾性を有する材料により形成する。例えば、ポリエチレン又はポリプロピレン等を用いることができる。また、ゴム又はエラストマーを用いることもできる。さらに、内筒部の基端部と先端部の間にコイルバネ等の付勢部材が設けられ、変形部が圧縮状態から伸張状態へ戻る付勢力を補うように構成されていてもよい。これにより、コネクタと管体の接続が解除された際に、内筒部が圧縮状態から伸張状態に戻りやすくすることができる。
【００４４】
伸縮可能な蛇腹状部材である変形部を有する内筒部を用いる例を示したが、内筒部の変形部は蛇腹状部材に限らず、コネクタ本体１１０の軸方向に伸縮可能な部材を使用することができる。また、管体の挿入によって、内筒部が、軸と交差する方向に膨らんだ圧縮状態となり、管体との接続が外れた後は元の伸張状態に戻るような構成とすることもできる。具体例として、図１７〜図１９に示す変形例のように弾性を有するチューブ状の内筒部１２０Ｂを設けることもできる。本変形例のコネクタ１０１Ｂの内筒部１２０Ｂは、挿入筒部２１０の先端により押圧されてコネクタ本体１１０の軸と交差する方向に膨らんで圧縮変形され、挿入筒部２１０を引き抜くことにより、元に戻る。内筒部１２０Ｂの変形量は０．５ｍｍ程度以上あれば、液だれを抑える効果が得られる。内筒部１２０Ｂは、例えば、ポリエチレン、又はポリプロピレン等により形成することができる。
【００４５】
図１８においては、内筒部１２０Ｂの先端が、挿入筒部２１０の内腔に挿入されている例を示した。しかし、内筒部１２０Ｂの先端が挿入筒部２１０の内腔に挿入されておらず、端面同士が当接して嵌め合いとなる構成としたり、挿入筒部２１０の先端が、内筒部１２０Ｂの内腔に挿入されている構成としたりすることもできる。
【００４６】
本実施形態のメスコネクタは、経腸栄養等の輸液回路において、管体を引き抜いた際の液だれの発生を抑えることができる。また、輸液回路以外の回路の接続に用いることもできる。さらに、メスコネクタが供給側に配置されている場合だけでなく、患者側に配置されている場合においても、液だれの発生を抑えることができる。
【産業上の利用可能性】
【００４７】
本開示のメスコネクタは、供給側に設けられた際にも、液だれを生じにくく、特に経腸栄養等の輸液回路に用いるコネクタとして有用である。
【符号の説明】
【００４８】
１０１      コネクタ
１０１Ａ    コネクタ
１０１Ｂ    コネクタ
１１０      コネクタ本体
１１０Ａ    コネクタ本体
１１３      開口部
１１４      内壁
１１５      突起
１１６      ねじ部
１１７Ａ    第１の部分
１１７Ｂ    第２の部分
１１７Ｃ    第３の部分
１２０      内筒部
１２０Ａ    内筒部
１２０Ｂ    内筒部
１２１      基端部
１２１Ａ    基端部
１２２      変形部
１２２Ａ    変形部
１２３      先端部
１２３Ａ    先端部
１２４      フランジ部
１３０      チューブ
１５０      液面
２０１      管体
２１０      挿入筒部
２１２      外壁
２２０      外筒部
【図１】
2017158704.tif 000003
【図２】
2017158704.tif 000004
【図３】
2017158704.tif 000005
【図４】
2017158704.tif 000006
【図５】
2017158704.tif 000007
【図６】
2017158704.tif 000008
【図７】
2017158704.tif 000009
【図８】
2017158704.tif 000010
【図９】
2017158704.tif 000011
【図１０】
2017158704.tif 000012
【図１１】
2017158704.tif 000013
【図１２】
2017158704.tif 000014
【図１３】
2017158704.tif 000015
【図１４】
2017158704.tif 000016
【図１５】
2017158704.tif 000017
【図１６】
2017158704.tif 000018
【図１７】
2017158704.tif 000019
【図１８】
2017158704.tif 000020
【図１９】
2017158704.tif 000021